(57)【要約】【課題】固定部材がガラスリブ側端面から突出せず、施工コストが安くなるようにガラスリブの厚さや幅にかかわらず共通の固定部材を使用してガラスリブ長手方向端部を躯体側に固定しても、ガラスリブを破損しにくくする。【解決手段】ガラスリブ２の長手方向端部３の両側面を躯体側に固定する一対の固定部材１１で挟み込み、ガラスリブ長手方向端面１２よりも中央側寄りに入り込ませて挿通した軸部材１３で固定部材どうしを連結して、ガラスリブ長手方向端部を両固定部材間に固定してあるガラスリブ固定構造であって、ガラスリブにおける軸部材挿通箇所に、リブ長手方向に沿って略平行に対向する一対の対向周面１８と、対向周面どうしを角部ができないように滑らかに接続する接続周面１９とで囲まれた空所１５を形成して、ガラスリブ及び軸部材よりも軟質の外力伝達部材１７を嵌合し、軸部材を対向周面間で外力伝達部材に貫通させてある。【選択図】        図３
2004204488.tif 000002
【特許請求の範囲】
【請求項１】
パネル補強用ガラスリブの長手方向端部の両側面を、躯体側に固定する一対の固定部材で挟み込み、前記ガラスリブの長手方向端面よりもその中央側寄りに入り込ませて挿通してある軸部材で前記固定部材どうしを連結して、前記ガラスリブの長手方向端部を両固定部材の間に固定してあるガラスリブ固定構造であって、
前記ガラスリブにおける前記軸部材の挿通箇所に、リブ長手方向に沿って略平行に対向する一対の対向周面と、それらの対向周面どうしを角部ができないように滑らかに接続する接続周面とで囲まれた空所を形成して、その空所に前記ガラスリブ及び前記軸部材よりも軟質の外力伝達部材を嵌合し、
前記軸部材を、前記対向周面間で前記外力伝達部材に貫通させてあるガラスリブ固定構造。
【請求項２】
前記外力伝達部材を、前記空所における前記一対の対向周面と前記接続周面とに亘って一連に接触する緩衝部材の内側に、前記緩衝部材よりも硬質の硬質部材を設けて構成し、
前記軸部材を前記硬質部材に貫通させてある請求項１記載のガラスリブ固定構造。
【請求項３】
前記空所を、前記ガラスリブの長手方向端面に切欠きを設けて形成してある請求項１又は２記載のガラスリブ固定構造。
【請求項４】
前記ガラスリブの長手方向端部が、上下方向に沿わせて下端部を躯体側に固定してあるガラスリブの上端部であり、
前記外力伝達部材に前記軸部材を貫通させる貫通孔を、上下方向に沿って長い長孔に形成してある請求項１〜３のいずれか１項記載のガラスリブ固定構造。
【発明の詳細な説明】
【０００１】
【発明の属する技術分野】
本発明は、パネル補強用のガラスリブの長手方向端部を躯体側に固定してあるガラスリブ固定構造に関する。
【０００２】
【従来の技術】
例えば図６に示すように、パネル補強用のガラスリブ２の長手方向端部３を躯体４側に固定するにあたって、躯体４側に固定してある固定部材１１に、ガラスリブ２の長手方向端部を嵌合する嵌合溝４０を設け、ガラスパネル１の一側面側に沿わせて上下方向に配設したガラスリブ２の長手方向端部をこの嵌合溝４０に嵌合させて、ガラスリブ２の長手方向端部を躯体４側に固定してあるガラスリブ固定構造が考えられるが、この場合は、固定部材１１がガラスリブ２の側端面４１から突出して美観を損なうおそれがあり、また、ガラスリブ２の厚さと幅に応じた嵌合溝４０を設けてある固定部材１１を使用する必要があるので、施工コストが高くなるおそれがある（例えば、特許文献１参照) 。
【０００３】
【特許文献１】
特開２００１−３３６２４４号公報
【０００４】
【発明が解決しようとする課題】
そこで、比較例として、例えば図７に示すように、ガラスリブ２の長手方向端部３にボルト挿通用の貫通丸孔４２を形成してブッシュ等を装着しておき、躯体４側に固定してある一対の固定部材１１でガラスリブ２の長手方向端部３の両側面を挟み込んで、ガラスリブ２の貫通丸孔４２と一対の固定部材１１とに亘って挿通した連結ボルト１３で固定部材１１どうしを連結することにより、固定部材１１がガラスリブ２の側端面４１から突出することなく、また、施工コストが安くなるようにガラスリブ２の厚さや幅にかかわらず共通の固定部材１１を使用しても、ガラスリブ２の長手方向端部３を躯体４側に固定できるガラスリブ固定構造が考えられるが、この場合は、例えば風圧や地震によるパネル１の撓み変形に伴って、ガラスリブ２の長手方向端部３が反力受けとしての連結ボルト１３側に対してパネル１の前後方向に押し付けられ、その結果、ガラスリブ２に作用する連結ボルト１３側に対する押し付け反力Ｆ１が、ガラスリブ２の貫通丸孔４２における内周面の一箇所に集中的に作用して、ガラスリブ２が破損し易い欠点がある。
本発明は上記実情に鑑みてなされたものであって、固定部材がガラスリブの側端面から突出することなく、また、施工コストが安くなるようにガラスリブの厚さや幅にかかわらず共通の固定部材を使用してガラスリブの長手方向端部を躯体側に固定しても、ガラスリブが破損しにくいガラスリブ固定構造を提供することを目的とする。
【０００５】
【課題を解決するための手段】
請求項１記載の発明の特徴構成は、パネル補強用ガラスリブの長手方向端部の両側面を、躯体側に固定する一対の固定部材で挟み込み、前記ガラスリブの長手方向端面よりもその中央側寄りに入り込ませて挿通してある軸部材で前記固定部材どうしを連結して、前記ガラスリブの長手方向端部を両固定部材の間に固定してあるガラスリブ固定構造であって、前記ガラスリブにおける前記軸部材の挿通箇所に、リブ長手方向に沿って略平行に対向する一対の対向周面と、それらの対向周面どうしを角部ができないように滑らかに接続する接続周面とで囲まれた空所を形成して、その空所に前記ガラスリブ及び前記軸部材よりも軟質の外力伝達部材を嵌合し、前記軸部材を、前記対向周面間で前記外力伝達部材に貫通させてある点にある。
【０００６】
〔作用及び効果〕
図３に例示するように、パネル補強用ガラスリブ２における軸部材１３の挿通箇所、つまり、ガラスリブ２の長手方向端面１２よりもその中央側寄りに空所１５を形成するとともに、その空所１５に外力伝達部材１７を嵌合して、ガラスリブ２の長手方向端部３の両側面を躯体４側に固定する一対の固定部材１１で挟み込み、外力伝達部材１７に貫通させてガラスリブ２の長手方向端面１２よりもその中央側寄りに入り込ませて挿通してある軸部材１３で固定部材１１どうしを連結して、ガラスリブ２の長手方向端部３を両固定部材１１の間に固定してあるので、固定部材１１がガラスリブ２の側端面から突出することなく、また、施工コストが安くなるようにガラスリブ２の厚さや幅にかかわらず共通の固定部材１１を使用しても、ガラスリブ２の長手方向端部を躯体４側に固定できる。
そして、軸部材１３の挿通箇所に空所１５を形成するにあたって、リブ長手方向に沿って略平行に対向する一対の対向周面１８と、それらの対向周面１８どうしを角部ができないように滑らかに接続する接続周面１９とで囲まれた空所１５を形成し、その空所１５にガラスリブ２及び軸部材１３よりも軟質の外力伝達部材１７を嵌合して、軸部材１３を対向周面１８間で外力伝達部材１７に貫通させてあるので、風圧や地震などによるパネル１の撓み変形に伴って、ガラスリブ２の長手方向端部３が反力受けとしての軸部材１３側に対してパネル１の前後方向に押し付けられても、ガラスリブ２に作用する軸部材１３側へのパネル前後方向の押し付け反力Ｆ１が、ガラスリブ２の空所１５を形成している内周面の一箇所に集中的に作用するおそれが少なく、ガラスリブ２が破損しにくい。
つまり、ガラスリブ２の長手方向端部３が軸部材１３側に対してパネル１の前後方向に押し付けられても、ガラスリブ２の長手方向端部３は、リブ長手方向に沿って略平行に対向する一対の対向周面１８のいずれか一方が、ガラスリブ２及び軸部材１３よりも軟質の外力伝達部材１７に圧縮力を作用させる状態で、軸部材１３側に対して押し付けられるので、ガラスリブ２に作用する軸部材１３側に対するパネル前後方向の押し付け反力Ｆ１が、略平行に対向する一対の対向周面１８のいずれか一方に分散して作用し、ガラスリブ２に作用する圧縮応力が軽減されて、ガラスリブ２が破損しにくい。
また、リブ長手方向に沿って略平行に対向する一対の対向周面１８と、それらの対向周面１８どうしを角部ができないように滑らかに接続する接続周面１９とで囲まれた空所１５を形成して、外力伝達部材１７を嵌合してあるので、接続周面１９においても外力が集中するおそれが少なく、この点においても、ガラスリブ２が破損しにくい。
尚、従来のガラスリブ固定構造ではガラスリブが破損し易いので、強化ガラス製のガラスリブを使用する必要があったが、本願発明のガラスリブ固定構造では普通ガラス製のガラスリブを使用しても破損しにくくなり、合わせガラス製のガラスリブを使用すれば、なお一層、破損しにくい。
【０００７】
請求項２記載の発明の特徴構成は、前記外力伝達部材を、前記空所における前記一対の対向周面と前記接続周面とに亘って一連に接触する緩衝部材の内側に、前記緩衝部材よりも硬質の硬質部材を設けて構成し、前記軸部材を前記硬質部材に貫通させてある点にある。
【０００８】
〔作用及び効果〕
図３に例示するように、ガラスリブ２が軸部材１３側に対してパネル１の前後方向に押し付けられると、ガラスリブ２の長手方向端部３は、一対の対向周面１８のいずれか一方が、緩衝部材２０を介して、その緩衝部材２０よりも硬質の硬質部材２１に圧縮力を作用させる状態で、軸部材１３側に押し付けられるので、ガラスリブ２に作用する軸部材１３側に対するパネル前後方向の押し付け反力Ｆ１が、対向周面１３の特定箇所に偏らずに効率良く分散して作用し、ガラスリブ２に作用する圧縮応力を効果的に軽減できる。
【０００９】
請求項３記載の発明の特徴構成は、前記空所を、前記ガラスリブの長手方向端面に切欠きを設けて形成してある点にある。
【００１０】
〔作用及び効果〕
図３に例示するように、ガラスリブ２の長手方向端部３と、軸部材１３を貫通させてある外力伝達部材１７とがガラスリブ２の長手方向に相対変位し易く、ガラスリブ２の長手方向での拘束を緩和できるので、パネル１の変形に伴うガラスリブ２の破損を防止し易い。
【００１１】
請求項４記載の発明の特徴構成は、前記ガラスリブの長手方向端部が、上下方向に沿わせて下端部を躯体側に固定してあるガラスリブの上端部であり、前記外力伝達部材に前記軸部材を貫通させる貫通孔を、上下方向に沿って長い長孔に形成してある点にある。
【００１２】
〔作用及び効果〕
ガラスリブの長手方向端部の両側面を一対の固定部材で挟み込んで、固定部材どうしを連結する軸部材で両固定部材の間に固定してあるガラスリブの長手方向端部が、上下方向に沿わせて下端部を躯体側に固定してあるガラスリブの上端部である場合、軸部材を外力伝達部材に一体的に固定してあると、ガラスリブが軸部材に対して上下方向に相対変位しようとするに伴って、ガラスリブの空所における接続周面に上下方向の外力が作用し易いが、図３に例示するように、外力伝達部材１７に軸部材１３を貫通させる貫通孔２４を上下方向に沿って長い長孔２４ａに形成してあるので、ガラスリブ２の重量を下端部３ｂ（３) で躯体４側に支持させながら、ガラスリブ２の上端部３ａ（３) において軸部材１３に対する上下方向の相対変位を許容することができ、ガラスリブ２の空所１５における接続周面１９に上下方向の外力が作用しにくくなって、ガラスリブ２の破損を防止し易い。
尚、容易に理解できるように図面を参照して説明したが、本発明は添付図面の構成に限定されるものではない。
【００１３】
【発明の実施の形態】
以下に本発明の実施の形態を図面に基づいて説明する。尚、図面において従来例と同一の符号で表示した部分は、同一又は相当の部分を示している。
【００１４】
〔第１実施形態〕
図１〜図４は、建物外周部をフロア毎に設けたガラスパネル１で形成し、そのガラスパネル１を建物外面側に上下方向に沿って配設した複数の補強用ガラスリブ２で補強してあるガラスリブ固定構造を示し、ガラスリブ２の長手方向上下両端部３（３ａ，３ｂ) の各々を各フロアの床スラブ（躯体) ４側に固定してある。
【００１５】
前記ガラスパネル１は、図４に示すように、複数の板ガラス５を左右方向に隣り合うものどうしを突き合わせて、接着性のシール材６を介して接続すると共に、上下両端部を、接着性のシール材６を介して、上下の床スラブ４側に固定したアルミサッシュ７で支持してある。
【００１６】
前記ガラスリブ２の固定構造を説明する。
前記ガラスリブ２の各々は合わせ板ガラスで構成してあり、図４に示すように、一方の側端面８が板ガラス５どうしの突合せ部に沿って対向するように、ガラスパネル１に対して略直角の上下方向に配設して、左右の板ガラス５と共に、接着性のシール材６を介して、一体に接続してある。
【００１７】
そして、床スラブ４に固定したブラケット９にステンレス鋼などの金属製の支持アーム１０を溶接固定して、上下に隣り合うガラスリブ２の間に片持ち状に延出させ、その支持アーム１０の先端部左右両側にボルト２６で固定して、床スラブ４側に固定してある一対のステンレス鋼などの金属製の固定板材（固定部材) １１で、各ガラスリブ２の長手方向端部３の両側面をゴム板１４と共に挟み込むとともに、各ガラスリブ２の長手方向端面１２よりもその中央側寄りに入り込ませて挿通してあるステンレス鋼などの金属製の連結ボルト（軸部材) １３で固定板材１１どうしを連結して、各ガラスリブ２の長手方向両端部３（３ａ，３ｂ) を対応する両固定板材１１の間に固定してある。
【００１８】
前記連結ボルト１３の各々は、ガラスリブ２における連結ボルト１３の挿通箇所に空所１５を形成し、その空所１５に嵌合したガラスリブ２及び連結ボルト１３よりも軟質の外力伝達部材１７に貫通させてある。
【００１９】
前記空所１５の各々は、図３に示すように、リブ長手方向に沿って略平行に対向する一対の対向周面１８と、それらの対向周面１８の奥側どうしを角部ができないように滑らかに接続する半円弧状の接続周面１９とで囲まれた切欠きを、ガラスリブ２の上下方向両端面１２に設けて形成してあり、連結ボルト１３は、外力伝達部材１７のうちの対向周面１８で挟まれている箇所に貫通させてある。
【００２０】
前記外力伝達部材１７は、空所１５における一対の対向周面１８と接続周面１９とに亘って一連に接触するシート状のゴム製緩衝部材２０の内周側に、その緩衝部材２０よりも硬質の硬質部材２１を設けて構成してあり、連結ボルト１３は硬質部材２１に貫通させてある。
【００２１】
前記硬質部材２１は、外周形状が空所１５における一対の対向周面１８と接続周面１９とに略平行に沿うＵ字状で、上下方向端面がガラスリブ２の上下方向端面１２と面一になるように嵌合される６ナイロン等の樹脂製のスペーサ材２２の内側に、アルミ合金などの金属製のチップ材２３を嵌合して構成してある。
【００２２】
そして、ガラスリブ２の上端側の空所１５に嵌合してある上端側外力伝達部材１７ａにおいては、チップ材２３の全体形状を、対向周面１８に略平行な平行面２３ａ，２３ｂを内外に備えた略Ｕ字状に形成し、連結ボルト１３を貫通させるボルト貫通孔２４をチップ材２３の内周側とスペーサ材２２とに亘って上下方向に長い長孔２４ａに形成して、連結ボルト１３がチップ材２３における内周側の平行面２３ｂの間を通過するように設けてある。
【００２３】
また、ガラスリブ２の下端側の空所１５に嵌合してある下端側外力伝達部材１７ｂにおいては、チップ材２３の外周形状を空所１５における一対の対向周面１８と接続周面１９とに略平行に沿うＵ字状に形成して、連結ボルト１３を貫通させるボルト貫通孔２４を丸孔２４ｂに形成し、連結ボルト１３がチップ材２３における上下方向に沿って互いに平行な平行面２５の間を通過するように設けてある。
【００２４】
〔第２実施形態〕
図５は、ガラスリブ固定構造の別実施形態を示し、ガラスリブ２の下端部３ｂにおける下端面１２に、リブ長手方向に沿って略平行に対向する一対の対向周面１８と、それらの対向周面１８の上端どうしを角部ができないように、左右の円弧面２７とガラスリブ２の下端面１２に略平行な平行面２８とが滑らかに接続する接続周面１９とで囲まれた切欠きを設けて、空所１５を形成してある。
【００２５】
前記硬質部材２１は、外周形状が空所１５における一対の対向周面１８と接続周面１９とに略平行に沿うＵ字状で、下端面がガラスリブ２の下端面１２と略面一になるように嵌合される６ナイロン製のスペーサ材２２の内側に、アルミ合金製のチップ材２３を嵌合して構成してある。
【００２６】
そして、チップ材２３の外周形状を、空所１５における一対の対向周面１８と接続周面１９とに略平行に沿うＵ字状に形成して、ボルト貫通孔２４を、チップ材２３における上下方向に沿って互いに平行な平行面２９の間で、かつ、接続周面１９の平行面２８に略沿う上面３０の下方に位置させて形成してある。
【００２７】
本実施形態においては、ガラスリブ２の下端部３ｂが連結ボルト１３側に対して上方側から押し付けられても、ガラスリブ２の下端部３ｂは、接続周面１９の平行面２８が、外力伝達部材１７に圧縮力を作用させる状態で、連結ボルト１３側に対して押し付けられるので、ガラスリブ２に作用する連結ボルト１３側に対する上下方向（リブ長手方向) の押し付け反力Ｆ２が、接続周面１９の平行面２８に分散して作用し、ガラスリブ２に作用する圧縮応力が軽減されて、ガラスリブ２が破損しにくい。
その他の構成は、第１実施形態と同様である。
【００２８】
〔その他の実施形態〕
１．本発明によるガラスリブ固定構造は、略水平に配設したガラスリブの長手方向端部を一対の固定部材の間に固定するものであっても良い。
２．本発明によるガラスリブ固定構造は、ガラスリブにおける軸部材の挿通箇所に、リブ長手方向に沿って略平行に対向する一対の対向周面と、それらの対向周面どうしを両端において角部ができないように滑らかに接続する一対の接続周面とで囲まれた貫通孔状の空所を形成して、その空所に外力伝達部材を嵌合してあっても良い。
３．本発明によるガラスリブ固定構造は、緩衝部材として軟質樹脂を使用し、硬質材として緩衝部材よりも硬質の硬質樹脂を使用してあっても良い。
４．本発明によるガラスリブ固定構造は、外力伝達部材の全体を一つの材料で形成してあっても良い。
５．本発明によるガラスリブ固定構造は、ガラス製パネル以外のパネルを補強するために、ガラスリブの長手方向端部を一対の固定部材の間に固定するものであっても良い。
６．本発明によるガラスリブ固定構造は、建物外周部を形成するパネルを建物内側から補強するガラスリブや、建物内側を仕切るパネルを補強するガラスリブの固定構造であっても良い。
７．本発明によるガラスリブ固定構造おけるガラスリブは、実施形態で示したものに限定されず、フロートガラス，強化ガラス，合わせガラス，複層ガラスなどのいずれであっても良く、その品種や構成は限定されない。
【図面の簡単な説明】
【図１】ガラスリブ固定構造の一部断面側面図
【図２】要部の拡大側面図
【図３】（イ)   要部の一部破断拡大側面図
（ロ)   要部の縦断面図
【図４】要部の横断面図
【図５】第２実施形態を示す要部の一部破断拡大側面図
【図６】従来技術の説明図
【図７】比較例の説明図
【符号の説明】
１      パネル
２      ガラスリブ
３      長手方向端部
３ａ    上端部
３ｂ    下端部
４      躯体
１１    固定部材
１２    長手方向端面
１３    軸部材
１５    空所
１７    外力伝達部材
１８    対向周面
１９    接続周面
２０    緩衝部材
２１    硬質部材
２４    貫通孔
２４ａ  長孔
【図１】
2004204488.tif 000003
【図２】
2004204488.tif 000004
【図３】
2004204488.tif 000005
【図４】
2004204488.tif 000006
【図５】
2004204488.tif 000007
【図６】
2004204488.tif 000008
【図７】
2004204488.tif 000009